(57)【特許請求の範囲】
【請求項１】
複数の需要家の中から対象需要家の属性と類似する属性を有する１または複数の類似需要家の抽出を行う抽出部と、
前記抽出部によって抽出された前記類似需要家による電気料金メニューの変更に関する実績を示す実績情報を取得する実績取得部と、
前記実績取得部によって取得された前記実績情報に基づいて、前記対象需要家に提示すべき情報であって、電気料金メニューに関する情報である提示情報を作成する提示情報作成部とを備える、電力情報管理装置。
【請求項２】
前記提示情報作成部は、前記類似需要家の電気料金メニューの変更前後における電気料金の差額の統計値および電気料金メニューを変更した前記類似需要家の数に基づいて、前記提示情報を作成する、請求項１に記載の電力情報管理装置。
【請求項３】
前記提示情報作成部は、重み付けされた前記統計値および前記数に基づいて前記提示情報を作成する、請求項２に記載の電力情報管理装置。
【請求項４】
前記提示情報作成部は、前記対象需要家に提示すべき電気料金メニューである提示料金メニューと、前記提示料金メニューへの変更を行った前記類似需要家の前記提示料金メニューへの変更前後における電気料金の差額の統計値と、前記提示料金メニューへの変更を行った前記類似需要家の数とを示す前記提示情報を作成する、請求項１から請求項３のいずれか１項に記載の電力情報管理装置。
【請求項５】
前記提示情報作成部は、前記提示料金メニューへの変更前後における電気料金の差額の統計値として、前記提示料金メニューへの変更の後に電気料金が高くなった前記類似需要家の統計値と、前記提示料金メニューへの変更の後に電気料金が低くなった前記類似需要家の統計値とを示す前記提示情報を作成する、請求項４に記載の電力情報管理装置。
【請求項６】
前記提示情報作成部は、電気料金メニューを変更すべきでない旨を示す前記提示情報を作成する、請求項１から請求項５のいずれか１項に記載の電力情報管理装置。
【請求項７】
前記属性は、前記需要家によって電力消費が行われる建物の使用目的、前記建物の規模、前記建物の位置、前記建物に設けられた設備、前記建物において電力を使用する電力使用者の数および前記電力使用者の属性の少なくともいずれか１つである、請求項１から請求項６のいずれか１項に記載の電力情報管理装置。
【請求項８】
前記抽出部は、前記抽出の結果が所定条件を満たす場合、前記抽出の条件を変更して新たに前記抽出を行う、請求項１から請求項７のいずれか１項に記載の電力情報管理装置。
【請求項９】
電力情報管理装置が、複数の需要家の中から対象需要家の属性と類似する属性を有する１または複数の類似需要家を抽出するステップと、
前記電力情報管理装置が、抽出した前記類似需要家による電気料金メニューの変更に関する実績を示す実績情報を取得するステップと、
前記電力情報管理装置が、取得した前記実績情報に基づいて、前記対象需要家に提示すべき情報であって、電気料金メニューに関する情報である提示情報を作成するステップとを含む、電力情報管理方法。
【請求項１０】
電力情報管理装置において用いられる電力情報管理プログラムであって、前記電力情報管理装置が備えるコンピュータに、
前記電力情報管理装置が、複数の需要家の中から対象需要家の属性と類似する属性を有する１または複数の類似需要家を抽出するステップと、
前記電力情報管理装置が、抽出した前記類似需要家による電気料金メニューの変更に関する実績を示す実績情報を取得するステップと、
前記電力情報管理装置が、取得した前記実績情報に基づいて、前記対象需要家に提示すべき情報であって、電気料金メニューに関する情報である提示情報を作成するステップとを実行させるための、電力情報管理プログラム。
【発明の詳細な説明】
【技術分野】
【０００１】
本発明は、電力情報管理装置、電力情報管理方法および電力情報管理プログラムに関し、特に、電気料金メニューに関する情報を需要家に提示する電力情報管理装置、電力情報管理方法および電力情報管理プログラムに関する。
【背景技術】
【０００２】
電力システムの改革によって電力の小売りが全面的に自由化され、需要家が電力の小売事業者を自由に選択できるようになる。このため、各小売事業者は、独自に複数の電気料金メニューを提供することが予想される。
【０００３】
特許文献１（特開２００４−１１０２９４号公報）には、複数の小売事業者が提供する電気料金メニューの中から、最も安い電気料金メニューをシミュレーションする技術が開示されている。すなわち、電力購入先決定方法は、複数の電力供給側が提供する電力供給サービスおよびその料金に関する電力供給情報を各電力供給側から、電力需要側の単位時間毎の電力使用量に関する電力使用情報を前記電力需要側からそれぞれ取得し、前記取得した各電力供給情報に基づいて、前記取得した電力使用情報に対応する電力使用量を供給可能な電力供給サービスの中から、その料金が最も安い電力供給サービスをシミュレーションする。
【先行技術文献】
【特許文献】
【０００４】
【特許文献１】特開２００４−１１０２９４号公報
【発明の概要】
【発明が解決しようとする課題】
【０００５】
しかしながら、特許文献１に記載の電力購入先決定方法では、上記電力使用情報はたとえば需要家へのアンケートの結果に基づいて取得されるため、アンケートへの回答内容によってシミュレーションの結果は大きく左右される。このため、需要家が、シミュレーションの結果に従って電力供給サービスを変更した場合に、変更後における電気料金に満足できるか否かは不明である。
【０００６】
この発明は、上述の課題を解決するためになされたもので、その目的は、より適切な電気料金メニューを提示することが可能な電力情報管理装置、電力情報管理方法および電力情報管理プログラムを提供することである。
【課題を解決するための手段】
【０００７】
（１）上記課題を解決するために、この発明のある局面に係る電力情報管理装置は、複数の需要家の中から対象需要家の属性と類似する属性を有する１または複数の類似需要家の抽出を行う抽出部と、前記抽出部によって抽出された前記類似需要家による電気料金メニューの変更に関する実績を示す実績情報を取得する実績取得部と、前記実績取得部によって取得された前記実績情報に基づいて、前記対象需要家に提示すべき情報であって、電気料金メニューに関する情報である提示情報を作成する提示情報作成部とを備える。
【０００８】
（９）上記課題を解決するために、この発明のある局面に係る電力情報管理方法は、複数の需要家の中から対象需要家の属性と類似する属性を有する１または複数の類似需要家を抽出するステップと、抽出した前記類似需要家による電気料金メニューの変更に関する実績を示す実績情報を取得するステップと、取得した前記実績情報に基づいて、前記対象需要家に提示すべき情報であって、電気料金メニューに関する情報である提示情報を作成するステップとを含む。
【０００９】
（１０）上記課題を解決するために、この発明のある局面に係る電力情報管理プログラムは、電力情報管理装置において用いられる電力情報管理プログラムであって、コンピュータに、複数の需要家の中から対象需要家の属性と類似する属性を有する１または複数の類似需要家を抽出するステップと、抽出した前記類似需要家による電気料金メニューの変更に関する実績を示す実績情報を取得するステップと、取得した前記実績情報に基づいて、前記対象需要家に提示すべき情報であって、電気料金メニューに関する情報である提示情報を作成するステップとを実行させるためのプログラムである。
【００１０】
本発明は、このような特徴的な処理部を備える電力情報管理装置として実現することができるだけでなく、電力情報管理装置の一部または全部を実現する半導体集積回路として実現したり、電力情報管理装置を含むシステムとして実現したりすることができる。
【発明の効果】
【００１１】
この発明によれば、より適切な電気料金メニューを提示することができる。
【図面の簡単な説明】
【００１２】
【図１】図１は、本発明の実施の形態に係る電力情報管理システムの構成を示す図である。
【図２】図２は、本発明の実施の形態に係る電力情報管理装置の構成を示す図である。
【図３】図３は、本発明の実施の形態に係る使用電力管理装置において、提示情報作成部が作成した集計情報の一例を示す図である。
【図４】図４は、本発明の実施の形態に係る電力情報管理システムにおいて、使用電力管理装置に表示された画面の一例を示す図である。
【図５】図５は、本発明の実施の形態に係る電力情報管理システムにおいて、使用電力管理装置に表示された画面の他の例を示す図である。
【図６】図６は、本発明の実施の形態に係る電力情報管理システムにおいて、使用電力管理装置に表示された画面の他の例を示す図である。
【図７】図７は、本発明の実施の形態に係る電力情報管理システムにおいて、使用電力管理装置に表示された画面の他の例を示す図である。
【図８】図８は、本発明の実施の形態に係る電力消費管理システムが提示情報を作成するシーケンスの一例を示す図である。
【図９】図９は、図８に示す提示情報作成処理における動作手順を示すフローチャートである。
【発明を実施するための形態】
【００１３】
最初に、本発明の実施の形態の内容を列記して説明する。
【００１４】
（１）本発明の実施の形態に係る電力情報管理装置は、複数の需要家の中から対象需要家の属性と類似する属性を有する１または複数の類似需要家の抽出を行う抽出部と、前記抽出部によって抽出された前記類似需要家による電気料金メニューの変更に関する実績を示す実績情報を取得する実績取得部と、前記実績取得部によって取得された前記実績情報に基づいて、前記対象需要家に提示すべき情報であって、電気料金メニューに関する情報である提示情報を作成する提示情報作成部とを備える。
【００１５】
このような構成により、たとえば、対象需要家と似た状況の他の需要家が電気料金メニューの契約を変更した実績から、当該他の需要家の満足度の高かった電気料金メニューを選択し、推奨の電気料金メニューとして対象需要家に提示することができる。したがって、より適切な電気料金メニューを提示することができる。
【００１６】
（２）好ましくは、前記提示情報作成部は、前記類似需要家の電気料金メニューの変更前後における電気料金の差額の統計値および電気料金メニューを変更した前記類似需要家の数に基づいて、前記提示情報を作成する。
【００１７】
このような構成により、複数の類似需要家のある電気料金メニューへの変更前後における電気料金の差額の統計値たとえば平均値と、当該電気料金メニューへ変更した類似需要家の数とに基づいて、当該電気料金メニューを推奨の電気料金メニューとするか否かを決定することができる。たとえば、多くの類似需要家において電気料金を低くすることができた電気料金メニューを推奨の電気料金メニューとすることができる。
【００１８】
（３）より好ましくは、前記提示情報作成部は、重み付けされた前記統計値および前記数に基づいて前記提示情報を作成する。
【００１９】
このような構成により、たとえば、推奨の電気料金メニューの決定に際して、上記統計値を重視すべきか、上記数を重視すべきかを設定することができる。
【００２０】
（４）好ましくは、前記提示情報作成部は、前記対象需要家に提示すべき電気料金メニューである提示料金メニューと、前記提示料金メニューへの変更を行った前記類似需要家の前記提示料金メニューへの変更前後における電気料金の差額の統計値と、前記提示料金メニューへの変更を行った前記類似需要家の数とを示す前記提示情報を作成する。
【００２１】
このような構成により、対象需要家が、提示メニューへ変更することによって自己の電気料金がどの程度低くなるのかを統計的に推測することができるため、提示料金メニューへ変更すべきか否かを的確に判断することができる。
【００２２】
（５）より好ましくは、前記提示情報作成部は、前記提示料金メニューへの変更前後における電気料金の差額の統計値として、前記提示料金メニューへの変更の後に電気料金が高くなった前記類似需要家の統計値と、前記提示料金メニューへの変更の後に電気料金が低くなった前記類似需要家の統計値とを示す前記提示情報を作成する。
【００２３】
このような構成により、対象需要家が、提示料金メニューへ変更した類似需要家全体の統計値ではなく、変更後に電気料金が高くなった場合の統計値と、変更後に電気料金が低くなった場合の統計値とを用いて、提示メニューへ変更することによって自己の電気料金がどの程度低くなるのかを推測することができるため、提示料金メニューへ変更すべきか否かをより的確に判断することができる。
【００２４】
（６）好ましくは、前記提示情報作成部は、電気料金メニューを変更すべきでない旨を示す前記提示情報を作成する。
【００２５】
このような構成により、たとえば対象需要家が現在契約している電気料金メニューが最も電気料金を抑えることができる電気料金メニューである場合に、契約している電気料金メニューを変更すべきでない旨を対象需要家に通知することができる。
【００２６】
（７）好ましくは、前記属性は、前記需要家によって電力消費が行われる建物の使用目的、前記建物の規模、前記建物の位置、前記建物に設けられた設備、前記建物において電力を使用する電力使用者の数および前記電力使用者の属性の少なくともいずれか１つである。
【００２７】
このような構成により、たとえば、対象需要家と消費電力量が近く、かつ電力消費のパターンが類似する他の需要家を類似需要家として抽出することができる。
【００２８】
（８）好ましくは、前記抽出部は、前記抽出の結果が所定条件を満たす場合、前記抽出の条件を変更して新たに前記抽出を行う。
【００２９】
このような構成により、たとえば、抽出された類似需要家の数が多過ぎる場合、抽出の基準を厳しくして再度抽出を行うことにより、対象需要家により近い状況の類似需要家を絞り込むことができるため、より的確に推奨の電気料金メニューを選択することができる。また、抽出された類似需要家の数が少な過ぎる場合、各類似需要家のばらつきによって提示情報の信頼性が低くなるため、抽出の基準を緩くして再度抽出を行うことにより、提示情報の信頼性を高めることができる。
【００３０】
（９）本発明の実施の形態に係る電力情報管理方法は、複数の需要家の中から対象需要家の属性と類似する属性を有する１または複数の類似需要家を抽出するステップと、抽出した前記類似需要家による電気料金メニューの変更に関する実績を示す実績情報を取得するステップと、取得した前記実績情報に基づいて、前記対象需要家に提示すべき情報であって、電気料金メニューに関する情報である提示情報を作成するステップとを含む。
【００３１】
このような構成により、たとえば、対象需要家と似た状況の他の需要家が電気料金メニューの契約を変更した実績から、当該他の需要家の満足度の高かった電気料金メニューを選択し、推奨の電気料金メニューとして対象需要家に提示することができる。したがって、より適切な電気料金メニューを提示することができる。
【００３２】
（１０）本発明の実施の形態に係る電力情報管理プログラムは、電力情報管理装置において用いられる電力情報管理プログラムであって、コンピュータに、複数の需要家の中から対象需要家の属性と類似する属性を有する１または複数の類似需要家を抽出するステップと、抽出した前記類似需要家による電気料金メニューの変更に関する実績を示す実績情報を取得するステップと、取得した前記実績情報に基づいて、前記対象需要家に提示すべき情報であって、電気料金メニューに関する情報である提示情報を作成するステップとを実行させるためのプログラムである。
【００３３】
このような構成により、たとえば、対象需要家と似た状況の他の需要家が電気料金メニューの契約を変更した実績から、当該他の需要家の満足度の高かった電気料金メニューを選択し、推奨の電気料金メニューとして対象需要家に提示することができる。したがって、より適切な電気料金メニューを提示することができる。
【００３４】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００３５】
［構成および基本動作］
図１は、本発明の実施の形態に係る電力情報管理システムの構成を示す図である。
【００３６】
図１を参照して、電力情報管理システム１０１は、複数のメニュー管理装置１１と、電力情報管理装置１２と、複数の使用電力管理装置１３と、複数のスマートメータ１４と、記憶部１５とを備える。なお、電力情報管理装置１２は、記憶部１５を含む構成であってもよい。
【００３７】
メニュー管理装置１１は、たとえばサーバであり、電力の小売事業者である小売事業者１によって運用される。
【００３８】
使用電力管理装置１３およびスマートメータ１４は、ビル、住宅または工場等である需要家３の施設に設置される。使用電力管理装置１３は、たとえば自己が設置された施設における電気機器の動作を制御することによって消費電力の削減を図るためのＢＥＭＳ（Ｂｕｉｌｄｉｎｇ  Ｅｎｅｒｇｙ  Ｍａｎａｇｅｍｅｎｔ  Ｓｙｓｔｅｍ）またはＨＥＭＳ（Ｈｏｍｅ  Ｅｎｅｒｇｙ  Ｍａｎａｇｅｍｅｎｔ  Ｓｙｓｔｅｍ）等のシステムにおいて用いられる装置である。
【００３９】
スマートメータ１４は、自己の設置された施設における消費電力量を測定し、測定結果を同じ施設の使用電力管理装置１３へ送信する。
【００４０】
電力情報管理装置１２および記憶部１５は、たとえば小売事業者１および需要家３間の電力取引の仲介を行う仲介事業者２によって運用される。電力情報管理装置１２は、各メニュー管理装置１１および各使用電力管理装置１３とたとえばインターネットを介して接続される。
【００４１】
小売事業者１は、たとえば各需要家３に電力を供給することが可能であり、需要家３が契約可能な１または複数の電気料金メニューを提供する。電気料金メニューは、たとえば、一日における時間帯別の電気料金の単価を示す。
【００４２】
需要家３は、各小売事業者１から提供された複数の電気料金メニューの中から、電気料金メニューを選択して契約する。具体的には、需要家３は、選択した電気料金メニューの示す内容で電力の供給を受けることについて、当該電気料金メニューを提供する小売事業者１と契約する。
【００４３】
需要家３には、契約した電気料金メニューの提供元の小売事業者１から電力が供給され、当該電気料金メニューに従って算出された電気料金が課される。
【００４４】
なお、小売事業者１は、たとえば、消費電力量の増加に従って電気料金の単価が増減する電気料金メニューを提供してもよいし、曜日別または季節別の電気料金の単価を示す電気料金メニューを提供してもよいし、消費電力量によらず一定の電気料金を示す電気料金メニューを提供してもよい。
【００４５】
各メニュー管理装置１１は、対応の小売事業者１が提供する電気料金メニューを示す料金メニュー情報を図示しない記憶部ＭＵ１に保存している。
【００４６】
各使用電力管理装置１３は、対応の需要家３の電気料金メニューの変更に関する情報である実績情報と、対応の需要家３の過去の消費電力量を示す消費電力情報と、対応の需要家３の属性を示す属性情報とを図示しない記憶部ＭＵ２に保存している。
【００４７】
実績情報は、たとえば、需要家３が現在契約している電気料金メニューおよび過去に契約した電気料金メニューを示す。消費電力情報は、たとえば、所定期間における需要家３の消費電力量の１時間ごとの推移および平均消費電力量を示す。
【００４８】
属性情報は、たとえば、需要家３によって電力消費が行われる建物の使用目的、当該建物の規模、当該建物の位置、当該建物に設けられた設備、当該建物において電力を使用する電力使用者の数および当該電力使用者の属性の少なくともいずれか１つを示す。
【００４９】
ここで、「建物の使用目的」とは、たとえば、建物が住宅であるか、商業ビルであるか、オフィスビルであるか、または工場であるか等の別である。「建物の規模」とは、たとえば、建物の敷地面積、延床面積、階数および容積等である。
【００５０】
「建物の位置」とは、建物の位置する地域および建物の周囲環境等である。「建物に設けられた設備」とは、建物における空調機器、パソコン、電灯、発電設備および蓄電設備等の電気設備の種類および消費電力等を示す。
【００５１】
「電力使用者の属性」とは、たとえば、電力使用者が、建物の居住者であるか、建物内において職務に従事する者であるか、または建物におけるテナントの顧客であるか等の別または割合である。なお、「電力使用者の属性」は、建物内において職務に従事する者の職種ごとの割合であってもよい。
【００５２】
電力情報管理装置１２は、予め、各メニュー管理装置１１から料金メニュー情報を収集し、また、各使用電力管理装置１３から実績情報、消費電力情報および属性情報を収集する。電力情報管理装置１２は、収集したこれらの情報を記憶部１５に保存する。
【００５３】
需要家３は、たとえば使用電力管理装置１３の備える画面を操作することにより、自己に推奨される電気料金メニューの提示を電力情報管理装置１２に要求することができる。以下、推奨の電気料金メニューの提示を要求する需要家３を対象需要家とも称する。
【００５４】
使用電力管理装置１３は、たとえば、推奨の電気料金メニューの提示を要求する旨の操作を需要家３から受けると、提示要求を電力情報管理装置１２へ送信する。
【００５５】
電力情報管理装置１２は、使用電力管理装置１３から提示要求を受信した場合、記憶部１５に保存された各属性情報に基づいて、提示要求の送信元の使用電力管理装置１３に対応する需要家３すなわち対象需要家、の属性と類似する属性を有する１または複数の需要家３を抽出する。以下、対象需要家の属性と類似する属性を有する需要家３を類似需要家とも称する。
【００５６】
そして、電力情報管理装置１２は、たとえば、記憶部１５に保存された、抽出した類似需要家の実績情報および消費電力情報と、各メニュー管理装置１１から取得した料金メニュー情報とに基づいて、対象需要家に推奨すべき電気料金メニューを決定する。なお、電力情報管理装置１２は、消費電力情報に基づかずに、対象需要家に推奨すべき電気料金メニューを決定する構成であってもよい。
【００５７】
そして、電力情報管理装置１２は、対象需要家に提示すべき情報であって、推奨すべき電気料金メニューに関する情報である提示情報を作成し、作成した提示情報を、たとえば対象需要家の使用電力管理装置１３へ送信することにより、対象需要家に提示する。
【００５８】
図２は、本発明の実施の形態に係る電力情報管理装置の構成を示す図である。
【００５９】
図２を参照して、電力情報管理装置１２は、収集部２１と、抽出部２２と、提示情報作成部２３と、提示制御部２４と、要求受信部２５と、取得部（実績取得部）２６とを含む。
【００６０】
収集部２１は、各小売事業者１のメニュー管理装置１１から料金メニュー情報を収集し、また、各需要家３の使用電力管理装置１３から実績情報、消費電力情報および属性情報を収集する。収集部２１は、収集したこれらの情報を記憶部１５に保存する。
【００６１】
要求受信部２５は、たとえば使用電力管理装置１３から提示要求を受信し、要求元の対象需要家を示すＩＤ情報を抽出部２２および取得部２６へ出力する。
【００６２】
（類似需要家の抽出）
抽出部２２は、要求受信部２５から対象需要家を示すＩＤ情報を受信すると、需要家３の中から、当該対象需要家の属性と類似する属性を有する１または複数の類似需要家を抽出する。
【００６３】
属性の類否は、記憶部１５に保存された属性情報に基づいて判断される。当該属性は、たとえば、需要家３によって電力消費が行われる建物の使用目的、当該建物の規模、当該建物の位置、当該建物に設けられた設備、当該建物において電力を使用する電力使用者の数および当該電力使用者の属性の少なくともいずれか１つである。
【００６４】
たとえば、抽出部２２は、記憶部１５に保存されている各属性情報に基づいて、各需要家３の属性と対象需要家の属性との類似の程度を数値化した類似評価値を求める。そして、抽出部２２は、類似評価値が所定の閾値より大きい需要家３を検索し、類似需要家として抽出する。抽出部２２は、抽出した類似需要家を示すＩＤ情報を取得部２６へ出力する。
【００６５】
ここで、抽出部２２は、類似需要家の抽出の結果が所定条件を満たす場合、抽出の条件を変更して新たに類似需要家の抽出を行うことができる。具体的には、たとえば、抽出部２２は、抽出した類似需要家の数が所定範囲から外れる場合、上記閾値を変更して再度検索を行う。
【００６６】
具体的には、抽出部２２は、抽出した類似需要家の数が所定値より大きい場合、抽出の条件が厳しくなるように、すなわち抽出される類似需要家の数が小さくなるように上記閾値を変更する。また、抽出部２２は、抽出した類似需要家の数が所定値より小さい場合、抽出の条件が緩くなるように、すなわち抽出される類似需要家の数が大きくなるように上記閾値を変更する。
【００６７】
なお、抽出部２２は、たとえば、属性情報に基づいて抽出された類似需要家の数が所定値より大きい場合、消費電力情報に基づいて類似需要家を絞り込んでもよい。具体的には、たとえば、抽出部２２は、対象需要家の消費電力情報を記憶部１５から取得し、対象需要家の消費電力のパターンと類似する消費電力のパターンを示す消費電力情報を記憶部１５において検索する。そして、抽出部２２は、検索の結果得られた消費電力情報に対応する需要家３を類似需要家として抽出する。上記消費電力のパターンは、たとえば、一日における平均的な消費電力の推移である。
【００６８】
取得部２６は、要求受信部２５から対象需要家を示すＩＤ情報を受けると、当該ＩＤ情報に基づいて、対象需要家の実績情報および消費電力情報を記憶部１５から取得し、提示情報作成部２３へ出力する。
【００６９】
また、取得部２６は、抽出部２２から受けた類似需要家を示すＩＤ情報に基づいて、類似需要家の実績情報および消費電力情報を記憶部１５から取得し、提示情報作成部２３へ出力する。
【００７０】
提示情報作成部２３は、取得部２６から受けた対象需要家の実績情報および消費電力情報、ならびに、類似需要家の実績情報および消費電力情報に基づいて、提示料金メニューに関する情報である提示情報を作成する。
【００７１】
（提示情報の作成）
提示情報作成部２３は、対象需要家の実績情報に基づいて、対象需要家の現在の電気料金メニュー（以下、対象メニューとも称する。）を認識する。
【００７２】
提示情報作成部２３は、各類似需要家の実績情報に基づいて、類似需要家の中から、過去に対象メニューを契約していた１または複数の類似需要家（以下、類似需要家Ｔとも称する。）を抽出する。
【００７３】
提示情報作成部２３は、各類似需要家Ｔの実績情報に基づいて、各類似需要家Ｔが対象メニューから変更した先の電気料金メニュー（以下、変更先メニューとも称する。）を認識する。
【００７４】
提示情報作成部２３は、類似需要家Ｔを、同じ変更先メニューを有する類似需要家Ｔごとにグループ分けする。以下、同じ変更先メニューを有する類似需要家Ｔのグループを変更先グループとも称し、変更先グループに属する類似需要家Ｔの数を変更需要家数とも称する。
【００７５】
提示情報作成部２３は、たとえば類似需要家Ｔの電気料金メニューの変更前後における電気料金の差額を算出する。具体的には、提示情報作成部２３は、類似需要家Ｔごとに、対象メニューを契約している期間におけるたとえば１年あたりの平均電気料金ＴＥと、変更先メニューを契約している期間におけるたとえば１年あたりの平均電気料金ＨＥとを算出する。
【００７６】
そして、提示情報作成部２３は、類似需要家Ｔごとに、平均電気料金ＴＥと平均電気料金ＨＥとの差額ＤＥを算出する。具体的には、提示情報作成部２３は、以下の式（１）に従って差額ＤＥを算出する。差額ＤＥの単位は、たとえば「円／年」である。
ＤＥ＝ＨＥ−ＴＥ      ・・・（１）
【００７７】
ここで、差額ＤＥが負の値である場合、契約する電気料金メニュー（以下、契約メニューとも称する。）を対象メニューから変更先メニューに変更したことにより、たとえば年間の平均電気料金が高くなったことを示し、差額ＤＥが正の値である場合、たとえば年間の平均電気料金が低くなったことを示す。
【００７８】
そして、提示情報作成部２３は、たとえば、同じ変更先グループに属する各類似需要家Ｔの差額ＤＥの統計値（以下、差額統計値とも称する。）たとえば各差額ＤＥの平均値を算出する。
【００７９】
提示情報作成部２３は、たとえば、変更先グループごとの変更需要家数および差額統計値をまとめた集計情報を作成する。
【００８０】
図３は、本発明の実施の形態に係る使用電力管理装置において、提示情報作成部が作成した集計情報の一例を示す図である。
【００８１】
図３を参照して、テーブルｔ１は、変更先グループごとの変更需要家数および差額統計値を示す。「変更先グループ」は、対応する変更先メニューと当該変更先メニューを提供する小売事業者１を示す。具体的には、たとえば、変更先グループ「ａ１［Ａ］」は、小売事業者「Ａ」が提供する電気料金メニュー「ａ１」を示している。
【００８２】
「変更需要家数」は、対応の変更先グループに属する類似需要家Ｔの数である。「差額統計値」は、対応の変更先グループに属する各類似需要家Ｔの差額ＤＥの統計値である。ここでは、差額統計値は、変更先グループに属する各類似需要家Ｔの差額ＤＥの平均値である。
【００８３】
なお、提示情報作成部２３は、差額統計値として、変更先グループに属する各類似需要家Ｔの差額ＤＥの平均値を算出する構成に限らず、中央値または分散等を算出してもよい。
【００８４】
提示情報作成部２３は、たとえば、類似需要家の電気料金メニューの変更前後における電気料金の差額の統計値および電気料金メニューを変更した類似需要家の数に基づいて、対象需要家に提示すべき電気料金メニューである提示料金メニューを決定する。
【００８５】
具体的には、たとえば、提示情報作成部２３は、各変更先グループの差額統計値および変更需要家数に基づいて、対象需要家に推奨すべき電気料金メニューすなわち提示料金メニューを決定する。
【００８６】
より具体的には、たとえば、提示情報作成部２３は、変更需要家数および差額統計値の各々を重み付けし、重み付けした差額統計値および変更需要家数に基づいて、電気料金メニューの推奨の程度を表す推奨値Ｒを求め、推奨値Ｒに基づいて提示料金メニューを決定する。
【００８７】
たとえば、ある変更先グループの変更需要家数をＨｊとし、当該変更先グループの差額統計値をＳｔとしたとき、当該変更先グループに対応する変更先メニューの推奨値Ｒは、以下の式（２）によって求められる。ここで、ｋ１は、変更需要家数Ｈｊの重み付けに用いる係数であり、ｋ２は、差額統計値Ｓｔの重み付けに用いる係数である。
Ｒ＝ｋ１×Ｈｊ＋ｋ２×Ｓｔ      ・・・（２）
【００８８】
提示情報作成部２３は、式（２）に従って、各変更先グループに対応する変更先メニューの推奨値Ｒを求め、たとえば、最も推奨値Ｒの大きい変更先メニューを提示料金メニューとして選択する。
【００８９】
また、提示情報作成部２３は、取得部２６から受けた料金メニュー情報を参照して、選択した変更先メニューが小売事業者１によって現在も提供されている電気料金メニューであるか否かを確認し、現在も提供されている電気料金メニューであることが確認できた場合、選択した変更先メニューを提示料金メニューとして決定する。なお、提示情報作成部２３は、選択した変更先メニューが現在も提供されている電気料金メニューであることを確認できない場合、選択した変更先メニューを除外して、提示料金メニューを選択し直す。
【００９０】
なお、提示情報作成部２３は、式（２）を用いて推奨値Ｒを求める構成に限らず、変更需要家数Ｈｊおよび差額統計値Ｓｔを用いた他の式を用いて推奨値Ｒを求める構成であってもよい。
【００９１】
また、提示情報作成部２３は、最も推奨値Ｒの大きい変更先メニューを提示料金メニューとして選択する構成に限らず、たとえば、２番目以降に推奨値Ｒの大きい変更先メニューを提示料金メニューとして選択する構成であってもよい。また、提示情報作成部２３は、提示料金メニューを１つ決定する構成に限らず、複数決定する構成であってもよい。
【００９２】
提示情報作成部２３は、たとえば、提示料金メニューと、契約メニューの提示料金メニューへの変更を行った各類似需要家Ｔの差額統計値と、当該変更を行った類似需要家Ｔの数とを示す提示情報を作成する。
【００９３】
言い換えれば、提示情報作成部２３は、提示料金メニューと、当該提示料金メニューを変更先メニューとする変更先グループの差額統計値と、当該変更先グループの変更需要家数とを示す提示情報を作成する。
【００９４】
具体的には、たとえば、図３に示す「ａ１」が提示料金メニューである場合、提示情報作成部２３は、提示料金メニューが「ａ１」であり、差額統計値が「１０００」円／年であり、変更需要家数が「１０」社であることを示す提示情報を作成する。提示情報作成部２３は、作成した提示情報を提示制御部２４へ出力する。
【００９５】
提示制御部２４は、提示情報作成部２３から受けた提示情報を需要家３に提示する制御を行う。具体的には、たとえば、提示情報作成部２３は、提示情報に基づいて、提示情報の内容を示す画面の情報（以下、提示画面情報とも称する。）を作成し、作成した提示画面情報を対象需要家の使用電力管理装置１３へ送信する。
【００９６】
図４は、本発明の実施の形態に係る電力情報管理システムにおいて、使用電力管理装置に表示された画面の一例を示す図である。
【００９７】
図４を参照して、画面には、提示料金メニューと、契約メニューの提示料金メニューへの変更を行った各類似需要家Ｔの差額統計値と、当該変更を行った類似需要家Ｔの数とが表示されている。
【００９８】
具体的には、提示料金メニューとして、「小売事業者Ａ」の供給する「電気料金メニューａ１」が表示されている。また、上記差額統計値として、「電気料金メニューａ１を選ぶことで安くなった電気料金の平均」が「１０００円／年」であることが表示されている。また、上記数として、「電気料金メニューａ１を選んだ需要家数」が「１０社」であることが表示されている。
【００９９】
提示情報作成部２３は、差額統計値として、契約メニューの提示料金メニューへの変更を行った各類似需要家Ｔのうち、当該変更の後に電気料金が高くなった各類似需要家Ｔの差額統計値と、当該変更の後に電気料金が低くなった各類似需要家Ｔの差額統計値とを別々に示す提示情報を作成してもよい。
【０１００】
図５は、本発明の実施の形態に係る電力情報管理システムにおいて、使用電力管理装置に表示された画面の他の例を示す図である。
【０１０１】
図５を参照して、画面には、提示料金メニューと、契約メニューの提示料金メニューへの変更を行った各類似需要家Ｔの差額統計値と、当該変更を行った類似需要家Ｔの数とが表示されている。
【０１０２】
より詳細には、画面には、差額統計値として、契約メニューの提示料金メニューへの変更を行った各類似需要家Ｔのうち、当該変更の後に電気料金が高くなった各類似需要家Ｔの差額統計値と、当該変更の後に電気料金が低くなった各類似需要家Ｔの差額統計値とが別々に示されている。
【０１０３】
具体的には、電気料金が低くなった各類似需要家Ｔの差額統計値として、「年間電気料金が安くなった需要家」が「８社」あり、当該８社の各々において低くなった電気料金の「平均」が「１０万円／年」であることが表示されている。また、電気料金が高くなった各類似需要家Ｔの差額統計値として、「年間電気料金が高くなった需要家」が「２社」あり、当該２社の各々において高くなった電気料金の「平均」が「５００円／年」であることが表示されている。
【０１０４】
なお、提示情報作成部２３は、提示料金メニューへの変更を行った類似需要家Ｔの差額統計値を示す提示情報を作成する構成に限られない。たとえば、提示情報作成部２３は、類似需要家Ｔおよび他の類似需要家を含む類似需要家全体のうち、提示料金メニューへの変更を行った各類似需要家の、当該変更前後における電気料金の差額を求める。そして、提示情報作成部２３は、当該差額の統計値を含む提示情報を作成する構成であってもよい。
【０１０５】
また、提示情報作成部２３は、推奨の電気料金メニューを示す提示情報を作成する構成に限らず、契約している電気料金メニューを変更すべきでない旨を示す提示情報を作成する構成であってもよい。
【０１０６】
図６は、本発明の実施の形態に係る電力情報管理システムにおいて、使用電力管理装置に表示された画面の他の例を示す図である。
【０１０７】
図６を参照して、画面には、契約している電気料金メニューを変更すべきでない旨が表示されている。具体的には、画面には、「推奨の電気料金メニュー」が、対象需要者が「現在契約している電気料金メニュー」である旨が表示されている。また、対象メニューから他のメニューへ変更した類似需要家Ｔの数が「あなたと同じ電気料金メニューから変更した需要家数」として表示されている。また、対象メニューから他のメニューへ変更した各類似需要家Ｔの差額ＤＥの平均値が、「あなたと同じ電気料金メニューから変更したことにより高くなった電気料金の平均」として表示されている。
【０１０８】
図７は、本発明の実施の形態に係る電力情報管理システムにおいて、使用電力管理装置に表示された画面の他の例を示す図である。
【０１０９】
図７を参照して、画面には、グラフ表示部ＧＵと、メニュー表示部Ｍ１〜Ｍ４と、契約ボタン部ＣＢと、広告表示部ＣＵとが表示されている。
【０１１０】
メニュー表示部Ｍ１〜Ｍ４の各々には、提示情報の内容が表示されている。つまり、この例では、画面に４つの提示情報の内容が表示されている。ここでは、メニュー表示部Ｍ１に、最も推奨される電気料金メニューに関する内容が表示されている。
【０１１１】
より詳細には、メニュー表示部Ｍ１には、最も推奨される電気料金メニューとして、「小売事業者１Ｄ」によって提供される「電気料金メニューｄ１」が表示されている。また、対象需要家が契約メニューを「電気料金メニューｄ１」へ変更した場合、電気料金が「ＸＸＸ円／年」から「ＹＹＹ円／年」となり、電気料金が「年間ＺＺＺ円安く」なる旨が表示されている。
【０１１２】
また、メニュー表示部Ｍ１には、最も多くの「同規模の同業者」が「電気料金メニューｄ１」を契約している旨が表示されている。
【０１１３】
また、メニュー表示部Ｍ１には、たとえば、過去に契約メニューの提示料金メニューへの変更を行った類似需要家Ｔの数と、当該変更を行った各類似需要家Ｔの差額統計値とが表示されている。
【０１１４】
より詳細には、メニュー表示部Ｍ１には、提示料金メニューへの変更を行った類似需要家Ｔのうち、当該変更の後に電気料金が低くなった類似需要家Ｔの数が「１２０社」であり、この１２０社の電気料金の差額の平均値が「１０万円／年」である旨が表示されている。また、提示料金メニューへの変更を行った類似需要家Ｔのうち、当該変更の後に電気料金が高くなった類似需要家Ｔの数が「３社」であり、この３社の電気料金の差額の平均値が「５００円／年」である旨が表示されている。
【０１１５】
メニュー表示部Ｍ２〜Ｍ４には、メニュー表示部Ｍ１に表示された電気料金メニュー以外に推奨される電気料金メニューに関する内容が表示されている。
【０１１６】
たとえば、メニュー表示部Ｍ２には、推奨される電気料金メニューとして、「小売事業者１Ａ」によって提供される「電気料金メニューａ１」が表示されている。また、現在の電気料金が「ＰＰＰ円／年」であり、契約メニューを「電気料金メニューａ１」に変更した場合に、電気料金の差額が「ＱＱＱ円／年」となる旨が表示されている。また、メニュー表示部Ｍ２には、「２０社」の「同規模の同業者」が「電気料金メニューａ１」を契約している旨を表示している。
【０１１７】
グラフ表示部ＧＵには、対象需要家が現在契約している電気料金メニューの電気料金の単価の変化を示す線グラフＧ１と、提示料金メニューの電気料金の単価の変化を示す線グラフＧ２と、対象需要家の消費電力の推移を示す棒グラフＧ３とが表示されている。
【０１１８】
契約ボタン部ＣＢは、対象需要家が契約メニューを提示メニューへ変更する場合に用いられる。たとえば、契約ボタン部ＣＢが対象需要家によってタップまたはクリックされると、画面が契約メニューの変更に関する表示に切り替わる。対象需要家は、画面から契約メニューの変更に関する手続きの一部または全部を行うことができる。
【０１１９】
広告表示部ＣＵには、たとえば、仲介事業者２と広告契約を結んだ企業等の広告が表示されている。
【０１２０】
［動作］
次に、本発明の実施の形態に係る電力情報管理システムが提供情報を作成する際の動作について説明する。
【０１２１】
電力情報管理システムにおける各装置は、コンピュータを備え、当該コンピュータにおけるＣＰＵ等の演算処理部は、以下のシーケンスおよびフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１２２】
図８は、本発明の実施の形態に係る電力消費管理システムが提示情報を作成するシーケンスの一例を示す図である。
【０１２３】
図８を参照して、まず、仲介事業者２の運用する電力情報管理装置１２は、定期的または不定期に、小売事業者１Ａの運用するメニュー管理装置１１Ａへメニュー情報を要求するための情報要求ＭＡを送信する（ステップＳ１１）。
【０１２４】
次に、メニュー管理装置１１Ａは、電力情報管理装置１２から情報要求ＭＡを受信すると、小売事業者１Ａの提供する電気料金メニューを示す料金メニュー情報を電力情報管理装置１２へ送信する（ステップＳ１２）。
【０１２５】
電力情報管理装置１２は、メニュー管理装置１１Ａから料金メニュー情報を受信すると、受信した料金メニュー情報を図示しない記憶部１５に保存する（ステップＳ１３）。
【０１２６】
次に、電力情報管理装置１２は、定期的または不定期に、小売事業者１Ｂの運用するメニュー管理装置１１Ｂへメニュー情報を要求するための情報要求ＭＢを送信する（ステップＳ１４）。
【０１２７】
次に、メニュー管理装置１１Ｂは、電力情報管理装置１２からメニュー情報要求ＭＢを受信すると、小売事業者１Ｂの提供する電気料金メニューを示す料金メニュー情報を電力情報管理装置１２へ送信する（ステップＳ１５）。
【０１２８】
次に、電力情報管理装置１２は、メニュー管理装置１１Ｂから料金メニュー情報を受信すると、受信した料金メニュー情報を記憶部１５に保存する（ステップＳ１６）。
【０１２９】
また、電力情報管理装置１２は、同様に、図示しない他の小売事業者１の運用する他のメニュー管理装置１１から料金メニュー情報を受信して記憶部１５に保存する。
【０１３０】
次に、電力情報管理装置１２は、定期的または不定期に、需要家３Ａの施設に設置された使用電力管理装置１３Ａへ実績情報、消費電力情報および属性情報を要求するための情報要求ＪＡを送信する（ステップＳ１７）。
【０１３１】
次に、使用電力管理装置１３は、電力情報管理装置１２から情報要求ＪＡを受信すると、自己が保存している実績情報、消費電力情報および属性情報を電力情報管理装置１２へ送信する（ステップＳ１８）。
【０１３２】
次に、電力情報管理装置１２は、使用電力管理装置１３Ａから実績情報、消費電力情報および属性情報を受信すると、受信したこれらの情報を記憶部１５に保存する（ステップＳ１９）。
【０１３３】
次に、電力情報管理装置１２は、定期的または不定期に、需要家３Ｂの施設に設置された使用電力管理装置１３Ｂへ実績情報、消費電力情報および属性情報を要求するための情報要求ＪＢを送信する（ステップＳ２０）。
【０１３４】
次に、使用電力管理装置１３Ｂは、電力情報管理装置１２から情報要求ＪＢを受信すると、自己が保存している実績情報、消費電力情報および属性情報を電力情報管理装置１２へ送信する（ステップＳ２１）。
【０１３５】
電力情報管理装置１２は、使用電力管理装置１３Ｂから実績情報、消費電力情報および属性情報を受信すると、受信したこれらの情報を記憶部１５に保存する（ステップＳ２２）。
【０１３６】
また、電力情報管理装置１２は、同様に、図示しない他の需要家３の施設に設置された他の使用電力管理装置１３から実績情報、消費電力情報および属性情報を受信して記憶部１５に保存する。
【０１３７】
次に、たとえば、需要家３Ａが自己に推奨される電気料金メニューの提示を要求する旨の操作を使用電力管理装置１３Ａの備える画面に対して行うと、使用電力管理装置１３Ａは、提示情報の提示を要求するための提示要求を電力情報管理装置１２へ送信する（ステップＳ２３）。ここで、需要家３Ａは対象需要家である。
【０１３８】
なお、使用電力管理装置１３は、推奨される電気料金メニューの提示を要求するための操作が行われた場合に提示要求を送信する構成に限らず、他の操作が行われた場合に提示要求を送信する構成であってもよいし、操作の有無にかかわらず、定期的または不定期に、自動的に提示要求を送信する構成であってもよい。
【０１３９】
次に、電力情報管理装置１２は、使用電力管理装置１３Ａから提示要求を受信すると、記憶部１５に保存された属性情報に基づいて、提示情報作成処理を行う（ステップＳ２４）。
【０１４０】
次に、電力情報管理装置１２は、提示情報作成処理によって作成した提示情報の内容を示す提示画面情報を作成する。（ステップＳ２５）そして、電力情報管理装置１２は、作成した提示画面情報を使用電力管理装置１３Ａへ送信する（ステップＳ２６）。
【０１４１】
図９は、図８に示す提示情報作成処理における動作手順を示すフローチャートである。
【０１４２】
図９を参照して、まず、電力情報管理装置１２は、使用電力管理装置１３Ａから提示要求を受信すると、記憶部１５に保存された属性情報に基づいて、複数の類似需要家を抽出する（ステップＳ４０）。
【０１４３】
次に、電力情報管理装置１２は、類似需要家を抽出した後、さらに、類似需要家の中から複数の類似需要家Ｔを抽出する（ステップＳ４１）。
【０１４４】
次に、電力情報管理装置１２は、各類似需要家Ｔの変更先メニューに基づいて、各類似需要家を複数の変更先グループに分ける（ステップＳ４２）。
【０１４５】
次に、電力情報管理装置１２は、同じ変更先グループに属する各類似需要家Ｔの差額統計値を算出し（ステップＳ４３）、たとえば変更先グループごとの変更需要家数および差額統計値をまとめた集計情報を作成する（ステップＳ４４）。
【０１４６】
次に、電力情報管理装置１２は、たとえば集計情報の示す変更需要家数および差額統計値の各々に重み付けを行い、変更先グループごとに、対応の変更先メニューの推奨値Ｒを算出する（ステップＳ４５）。
【０１４７】
次に電力情報管理装置１２は、算出した推奨値Ｒに基づいて、提示すべき変更先メニューを選択する。そして、電力情報管理装置１２は、記憶部１５に保存された料金メニュー情報を参照して、選択した変更先メニューが小売事業者１によって現在も提供されている電気料金メニューであるか否かを確認し、現在も提供されている電気料金メニューであることが確認できた場合、選択した変更先メニューを提示料金メニューとして決定する（ステップＳ４６）。なお、電力情報管理装置１２は、選択した変更先メニューが現在も提供されている電気料金メニューであることを確認できない場合、選択した変更先メニューを除外して、提示すべき変更先メニューを選択し直す。
【０１４８】
次に、電力情報管理装置１２は、たとえば、提示料金メニューと、契約メニューの提示料金メニューへの変更を行った各類似需要家Ｔの差額統計値と、当該変更を行った類似需要家Ｔの数とを示す提示情報を作成する（ステップＳ４７）。
【０１４９】
なお、本発明の実施の形態に係る電力情報管理システム１０１では、電力情報管理装置１２は、推奨の電気料金メニューの提示を要求する需要家３の使用電力管理装置１３へ提示情報の内容を示す提示画面情報を送信する構成であるとしたが、これに限定するものではない。電力情報管理装置１２は、推奨の電気料金メニューの提示を要求していない需要家３の使用電力管理装置１３へ提示画面情報を送信する構成であってもよい。
【０１５０】
たとえば、上述のように、需要家３の使用電力管理装置１３が、定期的または不定期に、自動的に提示要求を送信する場合、電力情報管理装置１２は、使用電力管理装置１３から提示要求を受信すると、当該使用電力管理装置１３へ提示画面情報を送信する。この場合、当該需要家３は、電力情報管理装置１２に対して推奨の電気料金メニューの提示を要求していないが、対象需要家となる。
【０１５１】
また、本発明の実施の形態に係る電力情報管理システム１０１では、電力情報管理装置１２は、対象需要家の使用電力管理装置１３から提示要求を受信する構成であるとしたが、このような構成に限らず、たとえば、対象需要家の通信端末から提示要求を受信する構成であってもよい。
【０１５２】
また、本発明の実施の形態に係る電力情報管理システム１０１では、電力情報管理装置１２は、提示画面情報を対象需要家の使用電力管理装置１３へ送信する構成であるとしたが、このような構成に限らず、たとえば対象需要家の通信端末に提示画面情報を送信する構成であってもよい。
【０１５３】
また、本発明の実施の形態に係る電力情報管理システム１０１では、電力情報管理装置１２は、小売事業者１のメニュー管理装置１１から料金メニュー情報を受信する構成であるとしたが、このような構成に限らず、たとえば、小売事業者１における通信端末から料金メニュー情報を受信する構成であってもよい。
【０１５４】
また、本発明の実施の形態に係る電力情報管理システム１０１では、電力情報管理装置１２は、需要家３の使用電力管理装置１３から実績情報、消費電力情報および属性情報を受信する構成であるとしたが、このような構成に限らず、たとえば、需要家３の通信端末から実績情報、消費電力情報および属性情報を受信する構成であってもよい。
【０１５５】
また、本発明の実施の形態に係る電力情報管理システム１０１では、電力情報管理装置１２における提示情報作成部２３は、対象需要家への推奨の電気料金メニューを示す提示情報を作成する構成であるとしたが、このような構成に限定するものではない。たとえば、提示情報は、「夜間の電気料金の単価が安い電気料金メニュー」または「電気料金の単価が終日一定の電気料金メニュー」等、電気料金メニューの特性等を示す情報であってもよい。
【０１５６】
また、電力情報管理装置１２は、収集部２１および提示制御部２４を含まない構成であってもよい。
【０１５７】
ところで、特許文献１に記載の電力購入先決定方法では、上記電力使用情報はたとえば需要家へのアンケートの結果に基づいて取得されるため、アンケートへの回答内容によってシミュレーションの結果は大きく左右される。このため、需要家が、シミュレーションの結果に従って電力供給サービスを変更した場合に、変更後における電気料金に満足できるか否かは不明である。
【０１５８】
これに対して、本発明の実施の形態に係る電力情報管理装置では、抽出部２２は、複数の需要家３の中から対象需要家の属性と類似する属性を有する１または複数の類似需要家の抽出を行う。取得部２６は、抽出部２２によって抽出された類似需要家による電気料金メニューの変更に関する実績を示す実績情報を取得する。提示情報作成部２３は、取得部２６によって取得された実績情報に基づいて、対象需要家に提示すべき情報であって、電気料金メニューに関する情報である提示情報を作成する。
【０１５９】
このような構成により、たとえば、対象需要家と似た状況の他の需要家３が電気料金メニューの契約を変更した実績から、当該他の需要家３の満足度の高かった電気料金メニューを選択し、推奨の電気料金メニューとして対象需要家に提示することができる。
【０１６０】
したがって、本発明の実施の形態に係る電力情報管理装置では、より適切な電気料金メニューを提示することができる。
【０１６１】
また、本発明の実施の形態に係る電力情報管理装置では、提示情報作成部２３は、類似需要家の電気料金メニューの変更前後における電気料金の差額の統計値および電気料金メニューを変更した類似需要家の数に基づいて、提示情報を作成する。
【０１６２】
このような構成により、複数の類似需要家のある電気料金メニューへの変更前後における電気料金の差額の統計値たとえば平均値と、当該電気料金メニューへ変更した類似需要家の数とに基づいて、当該電気料金メニューを推奨の電気料金メニューとするか否かを決定することができる。たとえば、多くの類似需要家において電気料金を低くすることができた電気料金メニューを推奨の電気料金メニューとすることができる。
【０１６３】
また、本発明の実施の形態に係る電力情報管理装置では、提示情報作成部２３は、重み付けされた上記統計値および上記数に基づいて提示情報を作成する。
【０１６４】
このような構成により、たとえば、推奨の電気料金メニューの決定に際して、上記統計値を重視すべきか、上記数を重視すべきかを設定することができる。
【０１６５】
また、本発明の実施の形態に係る電力情報管理装置では、提示情報作成部２３は、対象需要家に提示すべき電気料金メニューである提示料金メニューと、提示料金メニューへの変更を行った類似需要家の提示料金メニューへの変更前後における電気料金の差額の統計値と、提示料金メニューへの変更を行った類似需要家の数とを示す提示情報を作成する。
【０１６６】
このような構成により、対象需要家が、提示メニューへ変更することによって自己の電気料金がどの程度低くなるのかを統計的に推測することができるため、提示料金メニューへ変更すべきか否かを的確に判断することができる。
【０１６７】
また、本発明の実施の形態に係る電力情報管理装置では、提示情報作成部２３は、提示料金メニューへの変更前後における電気料金の差額の統計値として、提示料金メニューへの変更の後に電気料金が高くなった類似需要家の統計値と、提示料金メニューへの変更の後に電気料金が低くなった類似需要家の統計値とを示す提示情報を作成する。
【０１６８】
このような構成により、対象需要家が、提示料金メニューへ変更した類似需要家全体の統計値ではなく、変更後に電気料金が高くなった場合の統計値と、変更後に電気料金が低くなった場合の統計値とを用いて、提示メニューへ変更することによって自己の電気料金がどの程度低くなるのかを推測することができるため、提示料金メニューへ変更すべきか否かをより的確に判断することができる。
【０１６９】
また、本発明の実施の形態に係る電力情報管理装置では、提示情報作成部２３は、電気料金メニューを変更すべきでない旨を示す提示情報を作成する。
【０１７０】
このような構成により、たとえば対象需要家が現在契約している電気料金メニューが最も電気料金を抑えることができる電気料金メニューである場合に、契約している電気料金メニューを変更すべきでない旨を対象需要家に通知することができる。
【０１７１】
また、本発明の実施の形態に係る電力情報管理装置では、上記属性は、需要家３によって電力消費が行われる建物の使用目的、当該建物の規模、当該建物の位置、当該建物に設けられた設備、当該建物において電力を使用する電力使用者の数および当該電力使用者の属性の少なくともいずれか１つである。
【０１７２】
このような構成により、たとえば、対象需要家と消費電力量が近く、かつ電力消費のパターンが類似する他の需要家３を類似需要家として抽出することができる。
【０１７３】
また、本発明の実施の形態に係る電力情報管理装置では、抽出部２２は、抽出の結果が所定条件を満たす場合、抽出の条件を変更して新たに抽出を行う。
【０１７４】
このような構成により、たとえば、抽出された類似需要家の数が多過ぎる場合、抽出の基準を厳しくして再度抽出を行うことにより、対象需要家により近い状況の類似需要家を絞り込むことができるため、より的確に推奨の電気料金メニューを選択することができる。また、抽出された類似需要家の数が少な過ぎる場合、各類似需要家のばらつきによって提示情報の信頼性が低くなるため、抽出の基準を緩くして再度抽出を行うことにより、提示情報の信頼性を高めることができる。
【０１７５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１７６】
以上の説明は、以下に付記する特徴を含む。
【０１７７】
［付記１］
電力の小売事業者によって提供される電気料金メニューを需要家に提示する電力情報管理装置であって、
複数の前記需要家の中から対象需要家の属性と類似する属性を有する１または複数の類似需要家の抽出を行う抽出部と、
前記抽出部によって抽出された前記類似需要家による電気料金メニューの変更に関する実績を示す実績情報を取得する実績取得部と、
前記実績取得部によって取得された前記実績情報に基づいて、前記対象需要家に提示すべき情報であって、前記小売事業者によって提供される電気料金メニューのうちの前記対象需要家に推奨される電気料金メニューに関する情報である提示情報を作成する提示情報作成部とを備える、電力情報管理装置。
【符号の説明】
【０１７８】
１，１Ａ，１Ｂ，１Ｄ  小売事業者
２  仲介事業者
３，３Ａ，３Ｂ  需要家
１１，１１Ａ，１１Ｂ  メニュー管理装置
１２  電力情報管理装置
１３，１３Ａ，１３Ｂ  使用電力管理装置
１４  スマートメータ
１５，ＭＵ１，ＭＵ２  記憶部
２１  収集部
２２  抽出部
２３  提示情報作成部
２４  提示制御部
２５  要求受信部
２６  取得部（実績取得部）
１０１  電力情報管理システム
ＣＢ  契約ボタン部
ＣＵ  広告表示部
ＧＵ  グラフ表示部
Ｍ１，Ｍ２，Ｍ３，Ｍ４  メニュー表示部
【図１】
0006451144.tif 000002
【図２】
0006451144.tif 000003
【図３】
0006451144.tif 000004
【図４】
0006451144.tif 000005
【図５】
0006451144.tif 000006
【図６】
0006451144.tif 000007
【図７】
0006451144.tif 000008
【図８】
0006451144.tif 000009
【図９】
0006451144.tif 000010